(57)【特許請求の範囲】
【請求項１】
複数枚のウェットティシュを重畳状態で収容する収容体と、この収容体の上面を覆い、かつ前記収容体に収容されたウェットティシュが取り出される際に通過する開口部が形成された中蓋体と、開閉可能とされ、閉時には前記中蓋体における開口部を密閉して前記収容体内の気密状態を保持する上蓋体とからなるウェットティシュの収容箱において、
前記中蓋体の開口部に、この開口部を介してウェットティシュを取り出す過程におけるウェットティシュの片面及び他面に向かって延びる、平面的に視て相対向する２組、３組または４組の舌片が形成され、かつこれら相対向する舌片が少なくともその先端対向部において上下方向に段差を有し、
隣接する２組の舌片のうち、相対向関係にある第１組の前記片面側の舌片が上段、前記他面側の舌片が下段に位置し、相対向関係にある第２組の前記片面側の舌片が下段、前記他面側の舌片が上段に位置している、
ことを特徴とするウェットティシュの収容箱。
【請求項２】
それぞれ、各組の相対向する舌片間の平面視の幅が、各組の上下段の上下方向の段差より小さい請求項１記載のウェットティシュの収容箱。
【請求項３】
前記第１組と前記第２組との間に、ウェットティシュを掴み出すための指先挿入用空間が形成されている請求項１または２記載のウェットティシュの収容箱。
【発明の詳細な説明】
【０００１】
【産業上の利用分野】
本発明は、ウェットティシュの収容箱に係り、特に取り出し時の抵抗が少なく、また収容箱から露出しているウェットティシュの突出量が少なくかつ次の取出ウェットティシュが容器内に没入することのないウェットティシュの収容箱に関する。
【０００２】
【従来の技術】
近年、生活の近代化に伴って多用されているウェットティシュは、未使用時、あるいは不使用時に湿潤状態を維持するため、気密とされた容器内に複数枚重畳されて収容されている。また、この種のウェットティシュにおいては、取り出しが容易となるように、最上部の一枚を取り出すと次の一枚の一部が容器から出てきて露出状態となり、この露出部を掴み部として利用する、いわゆるポップアップ方式のウェットティシュが用いられている。
【０００３】
このようなポップアップ方式のウェットティシュにおいては、使用者が容易にウェットティシュを取り出すことができるようにするために、収容箱、特にその取出口の形状に工夫が凝らされており、その例として図１２に示す収容箱Ｘがある。
【０００４】
この収容箱Ｘは、収容体３０、中蓋体４０、および上蓋体５０によって構成されている。収容体３０の内部には、図示しない重畳された複数のウェットティシュが収容されている。収容体３０の上部は開口しており、この開口部の全周に渡って中蓋体４０が密着するように、収容体３０に対して中蓋体４０が嵌合されている。
【０００５】
この中蓋体４０においては、そのほぼ中央部に浅凹部４１が形成されており、この浅凹部４１のほぼ中央部分に、深凹部４２が形成されている。また、深凹部４２には、収容体３０内に収容されているウェットティシュを取り出す際の通り道となる開口部４３が形成されており、この開口部４３周辺の一部に、係止凸片４４が設けられている。
【０００６】
上蓋体５０は、薄片６０，６０，６０を介して中蓋体４０と一体的に成形され、薄片６０，…を回転軸とし、中蓋体４０に対して開閉自在とされている。この上蓋体５０は、本体５１、係止片５２、凸部５３によって構成されており、上蓋体５０が閉じた状態の時には、係止片５２は中蓋体４０の係止凸片４４によって係止され、本体５１は中蓋体４０における浅凹部４１と嵌合し、凸部５３は深凹部４２と密着して収容体３０の内部の気密状態を保持し、ウェットティシュの湿潤状態を維持している。
【０００７】
かかる収容箱Ｘにおいては、図１３に示すように、使用のため取り出されたウェットティシュＷ１の次のウェットティシュＷ２の一部が開口部４３より露出した状態となる。不使用時には、上蓋体５０を閉じ、上蓋体５０の凸部５３と中蓋体４０の深凹部４２とが嵌合することによって形成される気密空間の内部に露出部Ｒを収容し、露出部Ｒの湿潤状態を保持している。
【０００８】
【発明が解決しようとする課題】
この種のウェットティシュ収容箱においては、使用者がウェットティシュを片手で容易に取り出せるようにすることが重要であり、そのためにはウェットティシュを取り出した時、次のウェットティシュの露出部が、収容箱内に没入することなく、開口部４３から確実に露出させる必要がある。
【０００９】
ところが、上記従来の収容箱Ｘに形成されている開口部４３は、図１２からも判るように、同一面上で向かい合い、かつ対向間の隙間が極めて狭い２対の舌片４２ａ〜４２ｄによって構成されているので、収容体３０内の残りのウェットティシュが少なくなった場合、ウェットティシュＷ１を取り出した後、次のウェットティシュＷ２が開口部より露出しなくなってしまうという問題がある。
【００１０】
これを具体的に説明すると、図１４はウェットティシュの残量が少なくなった時のウェットティシュの取出工程図である。図14(A) に示すように、ウェットティシュＷ１は、使用者によって上方に引き出される。このときウェットティシュＷ１が舌片４２ｂ（４２ｃ）にならって引き出されると、ウェットティシュＷ２は、ウェットティシュ同士の接触部分の抵抗により鉛直方向に沿って上方に引っ張られるが、重畳されたウェットティシュの上面位置と中蓋体４０との間に距離があると、ウェットティシュＷ１を引き上げた際に、次のウェットティシュＷ２が自重のために接触部分が離れてしまったり、あるいは多少は開口部分の舌片に引っ掛かったとしても、作用する自重の方が大きいために、収容箱内に落下してしまう。
【００１１】
さらに力学的に説明すると、ウェットティシュＷ２には、鉛直方向に沿って上方に引っ張られる力と下方に落ちようとする力がそれぞれ働いており、これらの力のうち上方に引っ張られる力は、ウェットティシュＷ１と接触している部分の摩擦力によって生じるものであり、反対に下方に落ちようとする力は、ウェットティシュＷ２の自重によって生じる力と、舌片４２ｂ（４２ｃ）との接触によって生じる抵抗力とがある。
【００１２】
収容体３０内のウェットティシュの残量が多いうちは、取出の際にウェットティシュＷ２の上側半分が立ち上がる角度が小さく、下方に落ちようとする力も小さいが、ウェットティシュの残量が少なくなるにしたがい、ウェットティシュＷ２の上側半分が立ち上がる角度が図14(B) に示すように大きくなり、これに伴い、下方に落ちようとする力が増加し、図14(C) に示すように、ウェットティシュＷ１の引き出しに伴って露出するはずのウェットティシュＷ２はそのまま落下して、その一部が収容体３０から露出しなくなるというものである。ウェットティシュが落下したとき、取出口から指を入れて落下したウェットティシュを取り出すが、従来品では取出口が小さいため、指を入れることができなかった。
【００１３】
他方、従来のウェットティシュ収容箱の場合には、ウェットティシュの残量が少なくなると、ウェットティシュの抜き出し時に容器ごと上に持ち上がってしまうという問題もある。
【００１４】
そこで、本発明の課題は、収容箱内のウェットティシュをスムーズかつ確実に取り出すことができ、しかも露出しているウェットティシュの一部が収容体の中に没入することのないウェットティシュ収容箱を提供することにある。
【００１５】
【課題を解決するための手段】
上記課題を解決するため、本発明は、複数枚のウェットティシュを重畳状態で収容する収容体と、この収容体の上面を覆い、かつ前記収容体に収容されたウェットティシュが取り出される際に通過する開口部が形成された中蓋体と、開閉可能とされ、閉時には前記中蓋体における開口部を密閉して前記収容体内の気密状態を保持する上蓋体とからなるウェットティシュの収容箱において、
前記中蓋体の開口部に、この開口部を介してウェットティシュを取り出す過程におけるウェットティシュの片面及び他面に向かって延びる、平面的に視て相対向する２組、３組または４組の舌片が形成され、かつこれら相対向する舌片が少なくともその先端対向部において上下方向に段差を有し、
隣接する２組の舌片のうち、相対向関係にある第１組の前記片面側の舌片が上段、前記他面側の舌片が下段に位置し、相対向関係にある第２組の前記片面側の舌片が下段、前記他面側の舌片が上段に位置している、
ことを特徴とするものである。
【００１６】
この場合に好ましくは、それぞれ、各組の相対向する舌片間の平面視の幅が、各組の上下段の上下方向の段差より小さいものとする。さらに、前記第１組と前記第２組との間に、ウェットティシュを掴み出すための指先挿入用空間が形成されていると、なお好ましいものとなる。
【００１７】
【作用】
本発明に係るウェットティシュ収容箱の取出口は、平面的に相対向する２組、３組または４組の舌片が形成され、かつこれら相対向する舌片が少なくともその先端対向部において上下方向に段差を有している。したがって、同一平面内で開口部を形成した場合に比べると、仮に平面的に視て対向舌片の隙間が同じであっても、ウェットティシュが通る道の幅が大きくなり、取り出し時の抵抗が少なくなり、小さい力で容易にウェットティシュを順次取り出すことができるとともに、次のウェットティシュも容易に露出するようになる。また、抵抗が小さいため、収容されているウェットティシュが少なくなり、容器全体の自重が軽くなっても、ウェットティシュ引抜き時に上方に持ち上がるようなことがなくなる。
【００１８】
その一方で、露出状態にあるウェットティシュが、収容箱内に没入する際には、その露出部鉛直方向に落下するが、本発明では、平面的に視た場合の舌片間の隙間を従来と同様若しくはそれ以下にすることができるため、ウェットティシュの露出した状態を維持し、一度外に露出したウェットティシュを再び容器内に落下させるようなことがなくなる。
【００１９】
【実施例】
以下、本発明を実施例により、具体的に説明する。
図１は、本発明に係るウェットティシュ収容箱Ｚの一例を示す斜視図、図２はその取出開口部の平面図である。なお、図１２と同一の機能を有するものについては同一の番号を付している。本発明において特徴的な部分は、特に中蓋体１０である。この中蓋体１０においては、そのほぼ中央部に浅凹部１１が形成されており、この浅凹部１１のほぼ中央部分に、深凹部１２が形成されている。また、前記中蓋体１０は、上段中蓋体１２Ａと下段中蓋体１２Ｂとによって構成されており、上段中蓋体１２Ａには、上段開口部１３Ａが形成されるとともに、上段舌片１２ａ、１２ｂが形成され、前記下段中蓋体１２Ｂには下段開口部１３Ｂが形成されるとともに、下段舌片１２ｃ、１２ｄがそれぞれ形成されている。すなわち、ウェットティシュ取出開口部に形成された４つの舌片１２ａ〜１２ｄの内、開口部の略中心点を対称点として対角の位置にある２枚の舌片１２ａ、１２ｂが上段側に位置し、残りの対角位置にある２枚の舌片１２ｃ、１２ｄが下段側に位置し、相対向する舌片間１２ａ、１２ｄ（１２ｃ、１２ｂ）では上下方向に段差が形成されている。
【００２０】
本発明においては、図３に示すように、手前側の上段舌片１２ｂと下段舌片１２ｃとによって形成されるウェットティシュの通り道（一点鎖線で示す。）の幅Ｂ1 、および奥側の上段舌片１２ａと下段舌片１２ｄとによって形成されるウェットティシュの通り道（二点鎖線で示す。）の幅Ｂ2 は、水平方向に沿って見た場合の舌片の間の幅と比較すると非常に大きくなっているため、その分スムーズに取り出せるようになっている。また、平面的に視て、対向する舌片間１２ａ、１２ｄ（１２ｃ、１２ｂ）の隙間を小さくでき、これら舌片１２ａ〜１２ｄの先端が露出したウェットティシュに当接するため、一旦外に露出したウェットティシュ部分が再び容器内に落下するのを防止する。
【００２１】
他方、本発明においては、開口部に前記舌片１２ａ〜１２ｄを形成しながら、指先挿入空間Ｐを形成する。したがって、仮にウェットティシュが開口部より外に露出しない場合であっても、前記指先挿入空間Ｐより指先を挿入して最上部にあるウェットティシュを掴み出すことができる。
【００２２】
なお、上記例の場合には、２層構造の上段中蓋体１２Ａと下段中蓋体１２Ｂとにそれぞれに上段舌片１２ａ、１２ｂおよび下段舌片１２ｃ、１２ｄを形成した例であるが、図５に示されるように、一枚の中蓋体１２とし、一方の舌片１２ｃをやや下方に向けて形成し、他方の舌片１２ｂをやや上方に向けて形成することにより、少なくとも舌片の対向先端部において上下方向の段差を持たせることもできる。
【００２３】
ところで、前記開口部の形状は、上記実施例の態様のものが最も好ましいが、図６〜図１１に示すような舌片形状とすることもできる。これら各図において、斜線で示されている舌片は下段舌片を示し、その他の舌片は上段舌片を示している。図６〜図９に示される例は、それぞれ舌片の形状は異なるが、上段舌片７０ａと下段舌片７０ｂとからなる一対の舌片を一組形成し、かつ舌片形成部以外に指先挿入空間Ｐを形成した例である。また、図１０は上段舌片７１ａ〜７３ａと下段舌片７１ｂ〜７３ｂからなる３組の舌片を形成し、これら舌片間に指先挿入空間Ｐを形成した例である。さらに、図１１は上段舌片７４ａ〜７７ａと下段舌片７４ｂ〜７７ｂからなる４組の舌片を形成し、これら舌片間の中央部分に指先挿入空間Ｐを形成した例である。
【００２４】
次いで、かかる蓋体構造を採用したウェットティシュ収容箱の一例を図４に示す断面図に基づいて詳説する。
本収容箱は、中蓋体が上段中蓋体２０Ａと下段中蓋体２０Ｂとにより別体として形成されており、これらは係止片を介して固定されている。また、上蓋体２１は、上段中蓋体２０Ａに対して薄片２４を介して連続的に取り付けられている。なお、図示の例で、下段中蓋体２０Ｂを厚くしているのは、容器自体の重量を重くするためである。
【００２５】
使用者は、上下段中蓋体２０Ａ、２０Ｂに形成されている開口部から露出しているウェットティシュＷの露出部を掴んで、一枚づつウェットティシュＷを取り出すことができる。なお、上段中蓋体２０Ａは収容体３０の外周と全体的に密接するように嵌溝されているので、収容体３０内も完全に気密状態とされている。
【００２６】
ところで、この種のウェットティシュは、収容されているウェットティシュがなくなった場合には、詰め替え用のウェットティシュを使用する。この詰め替え用のウェットティシュは、通常、上面に取出用の開口が形成された包装袋内に収容されており、使用前には、前記開口部分が粘着性シート等によってシールされ包装袋内の気密性が維持されている。そして、使用時には前記粘着性シールが剥がされ収容箱内に収容される。
【００２７】
ここで、前記詰め替え用ウェットティシュの包装袋に形成された開口の長さと前記収容箱に形成された開口部長さとの関係により、ウェットティシュ取り出し時の抵抗値も異なってくると思われるが、詰め替え用ウェットティシュの包装袋に形成された開口の長さ：収容箱に形成された開口部長さ＝１：０．７〜０．９とするのが望ましい。
【００２８】
【発明の効果】
以上の説明から明らかなとおり、本発明によれば、収容箱内のウェットティシュをスムーズかつ確実に取り出すことができ、しかも露出しているウェットティシュの一部が収容箱の中に没入することのないウェットティシュ収容箱を提供することが可能となる。また、取出口に指先挿入用空間が形成されているので、万が一露出しているウェットティシュの一部が収容箱の中に没入した場合であっても取出口から指先を挿入してウェットティシュを容易に取り出すことができる。
【図面の簡単な説明】
【図１】本発明に係るウェットティシュ収容箱の斜視図である。
【図２】ウェットティシュ取出開口部の平面図である。
【図３】図１のIII −III 線断面図である。
【図４】ウェットティシュ収容箱の縦断面図である。
【図５】他の中蓋体舌片の形成例を示す断面図である。
【図６】その他の中蓋体舌片の形成例の平面図である。
【図７】その他の中蓋体舌片の形成例の平面図である。
【図８】その他の中蓋体舌片の形成例の平面図である。
【図９】その他の中蓋体舌片の形成例の平面図である。
【図１０】その他の中蓋体舌片の形成例の平面図である。
【図１１】その他の中蓋体舌片の形成例の平面図である。
【図１２】従来のウェットティシュ収容箱の例の斜視図である。
【図１３】その中蓋体付近の拡大図である。
【図１４】ウェットティシュを取り出す際の工程図である。
【符号の説明】
１０…中蓋体、１２Ａ・２０Ａ…上段中蓋体、１２Ｂ・２０Ｂ…下段中蓋体、１１…浅凹部、１２…深凹部、１２ａ〜１２ｄ・７０ａ〜７７ａ・７０ｂ〜７７ｂ…舌片、１３…開口部、３０…収容体、２１・５０…上蓋体
【図１】
0003631784.tif 000002
【図２】
0003631784.tif 000003
【図３】
0003631784.tif 000004
【図４】
0003631784.tif 000005
【図５】
0003631784.tif 000006
【図６】
0003631784.tif 000007
【図７】
0003631784.tif 000008
【図８】
0003631784.tif 000009
【図９】
0003631784.tif 000010
【図１０】
0003631784.tif 000011
【図１１】
0003631784.tif 000012
【図１２】
0003631784.tif 000013
【図１３】
0003631784.tif 000014
【図１４】
0003631784.tif 000015